(57)【要約】【課題】  着色剤が剥がれ難い印刷物、及び印刷方法を提供する。【解決手段】  着色剤２０が固着される被印刷面１２を備える印刷物１０において、被印刷面１２から延設された壁面１３と、被印刷面１２の周囲に被印刷面と同一面上の補助面１６とを備え、被印刷面１２から壁面１３に連続して着色剤２０が固着されることにより、印刷物１０と着色剤２０との境界部１７は壁面１３に配置され、被印刷面１２の側面方向から着色剤２０に擦れが生じても境界部１７が直接に擦れることがないため、着色剤２０が印刷物１０から剥がれ難い構造にすることができる。【選択図】  図４
2018118449.tif 000002
【特許請求の範囲】
【請求項１】
着色剤が固着される凸状の被印刷面と、
前記被印刷面から延設された壁面と、
前記壁面の周囲に、隙間を設けて配置され前記被印刷面と平行な補助面と、を備え、
前記被印刷面の周縁において、前記被印刷面から前記壁面に連続して着色剤が固着される
ことを特徴とする印刷物。
【請求項２】
前記補助面は、前記被印刷面の全周を囲む
ことを特徴とする請求項１に記載の印刷物。
【請求項３】
前記補助面は、前記被印刷面と同一面上に備えられる
ことを特徴とする請求項１または２に記載の印刷物。
【請求項４】
前記壁面は、前記被印刷面の垂直方向に対し前記被印刷面の外側に傾く斜面を備える
ことを特徴とする請求項１乃至３のいずれか１項に記載の印刷物。
【請求項５】
前記印刷物は、リモートコントローラの筐体であり、
前記補助面は、前記印刷物の外表面に配置される
ことを特徴とする請求項１乃至４のいずれか１項に記載の印刷物。
【請求項６】
着色剤が固着される凸状の被印刷面と、
前記被印刷面から延設された壁面と、
前記壁面の周囲に、隙間を設けて配置され前記被印刷面と平行な補助面と、
を備える被印刷物に、印刷を施すための印刷方法であって、
前記被印刷面の範囲を含み、且つ、前記被印刷面より広い範囲の開口部を有するスクリーン印刷版を準備する工程と、
前記スクリーン印刷版を前記補助面に当接させる工程と、
前記着色剤を前記被印刷面にスクリーン印刷して、前記被印刷面から前記壁面に連続して着色剤を付着させる工程と、を含む
ことを特徴とする印刷方法。
【発明の詳細な説明】
【技術分野】
【０００１】
本発明は印刷物構造及びスクリーン印刷方法に関するものである。
【背景技術】
【０００２】
従来から、リモートコントローラや電話機等の筐体に凸形状を形成し、形成した凸形状の凸面にスクリーン印刷を施すことで凸形状を目立たせる方法が用いられ、その用途は社名の表示、標章の表示、ボタンの用途の表示など多岐にわたる。
【０００３】
例えば、特許文献１には、合成樹脂の成形品にスクリーン印刷を施し、着色剤を固着させる技術が開示されている。
【先行技術文献】
【特許文献】
【０００４】
【特許文献１】特開平８−７１４９０
【発明の概要】
【発明が解決しようとする課題】
【０００５】
スクリーン印刷が施された物品を、人が手に取ることや、卓上に置くことや、他の物品と重ねること等で、擦れが着色剤に生じることにより、固着された着色剤が剥がれる問題があった。このような理由から、スクリーン印刷が施された物品には、固着された着色剤が剥がれ難い構造の要求がある。
【０００６】
特許文献１に示される方法は、印刷物１０１の文字形状の凸部１０１ａに、スクリーン印刷版１０８を対向させ配置し、スクイージー１１０で着色剤１０９を塗る方法である。スクリーン印刷版１０８の文字形状の凸部１０１ａに対向する部分には、開口部１０８ａが設けられており着色剤１０９がスクリーン印刷版１０８を透過する構造である。透過後の着色剤１０９は、印刷物１０１から突出した位置に塗られており、文字形状の凸部１０１ａの表面に備えられるホットスタンプ箔層１０３との境界が凸部１０１ａの側面に露出しているため、凸部１０１ａの側面方向から擦れが着色剤１０９に生じた場合、境界から着色剤１０９が剥がれ易い問題があった。
【０００７】
また、着色剤１０９を固着させる際には、スクイージー１１０をスクリーン印刷版１０８に押圧させながらＦ方向へ動かす必要があり、押圧されたスクリーン印刷版１０８は、固着される面に対し撓んだ状態になり、開口部１０８ａと文字形状の凸部１０１ａの位置がずれ、目的の印刷範囲と異なる範囲に固着してしまう懸念がある。そのため、スクイージー１１０の押圧力や、スクリーン印刷版１０８の印刷前配置等の正確な設定が必要であり、スクリーン印刷を施すことが容易ではない問題があった。
【０００８】
本発明は、このような課題を鑑みてなされてものであって、着色剤が剥がれ難い印刷物を提供することを目的とする。
【０００９】
また、スクリーン印刷を施す際に、被印刷面に対するスクリーン印刷版の撓みを抑え、容易にスクリーン印刷を施す方法を提供することを目的とする。
【課題を解決するための手段】
【００１０】
上記の課題を解決するために、本発明の印刷物は、着色剤が固着される凸状の被印刷面と、被印刷面から延設された壁面と、壁面の周囲に、隙間を設けて配置され被印刷面と平行な補助面と、を備え、被印刷面の周縁において、被印刷面から壁面に連続して着色剤が固着されることを特徴とする。
【００１１】
被印刷面の周縁において被印刷面から壁面に連続して着色剤が固着されることで、被印刷物と着色剤との境界部は壁面の被印刷面よりやや下方に配置される。そして壁面の周囲に補助面を備える事で被印刷面の側面方向から擦れが着色剤に生じても、境界部に着色剤が剥がれる力は生じないため、印刷物から着色剤が剥がれ難い構造を実現できる。
【００１２】
本発明による印刷物において補助面は、被印刷面の全周を囲んでもよい。
【００１３】
補助面が被印刷面の全周を囲むことで、着色剤は被印刷面の周囲の全周にわたり周縁から連続して壁面に固着されるため、被印刷面のあらゆる側面方向から擦れが着色剤に生じても、境界部に着色剤が剥がれる力は生じないため、印刷物から着色剤が剥がれ難い構造を実現できる。
【００１４】
本発明による印刷物において補助面は、被印刷面と同一面上に備えてもよい。
【００１５】
補助面が被印刷面と同一面上であることで、被印刷面と着色剤との境界部よりも補助面が高くなり、被印刷面の側面方向から擦れが着色剤に生じても、境界部が直接に擦れることがない。
【００１６】
本発明による印刷物において壁面は、被印刷面の垂直方向に対し被印刷面の外側に傾く斜面を備えてもよい。
【００１７】
壁面に斜面を備えることで、被印刷面の周縁部において着色剤の厚さを維持することができ、被印刷面の周縁部が着色剤から露出することを防ぐことができる。
【００１８】
本発明による印刷物において印刷物は、リモートコントローラの筐体であり、補助面は、印刷物の外表面であってもよい。
【００１９】
補助面は、印刷物の外表面であることで、印刷物であるリモートコントローラの外表面から補助面が突出することなく、手に取る際の感触に影響を与えることがなく、また印刷物全体の美観にも影響を与えない。
【００２０】
上述の課題を解決するために、本発明の印刷方法は、着色剤が固着される凸状の被印刷面と、被印刷面から延設された壁面と、壁面の周囲に、隙間を設けて配置され被印刷面と平行な補助面と、を備える被印刷物に、印刷を施すための印刷方法であって、被印刷面の範囲を含み、且つ、被印刷面より広い範囲の開口部を有するスクリーン印刷版を準備する工程と、スクリーン印刷版を補助面に当接させる工程と、着色剤を被印刷面にスクリーン印刷して前記被印刷面から前記壁面に連続して着色剤が付着させる工程と、を含むことを特徴とする。
【００２１】
スクリーン印刷版を補助面に当接させることで、スクリーン印刷版が撓むことなく被印刷面に配置することができ、スクリーン印刷を施すことが容易になる。また、被印刷面よりも広い範囲の開口部を通過させてスクリーン印刷することで、被印刷面の周縁において被印刷面から壁面に連続して着色剤が付着されて、被印刷物と着色剤との境界部は壁面の被印刷面よりやや下方に配置される。その後、着色剤は固化して固着する。そして壁面の周囲に補助面を備える事で被印刷面の側面方向から擦れが着色剤に生じても、境界部が直接に擦れることがなく、着色剤が剥がれ難いスクリーン印刷方法を行うことができる。
【発明の効果】
【００２２】
本発明によれば、補助面を備えることで、被印刷面と略平行方向の擦れが着色剤に生じても、着色剤が被印刷面から剥がれ難くすることができる。
【００２３】
また、スクリーン印刷版を補助面に当接させることで、スクリーン印刷版が撓むことなく被印刷面に配置することができ、着色剤を付着させることが容易になる。
【図面の簡単な説明】
【００２４】
【図１】本発明の第１の実施例に係る印刷物であるリモートコントローラの斜視図である。
【図２】図１に示す印刷物の印刷が施された部位の拡大斜視図である。
【図３】図２に示す印刷物のＡ−Ａ断面図である。
【図４】本発明の第２の実施例に係る印刷物の、図２のＡ−Ａ位置に相当する断面図である。
【図５】本発明の第３の実施例に係る印刷物の、スクリーン印刷を施す部位の拡大斜視図である。
【図６】本発明の第３の実施例に係るスクリーン印刷版の斜視図である。
【図７】本発明の第３の実施例に係る印刷物にスクリーン印刷版を当接させた状態の平面図である。
【図８】本発明の第３の実施例に係るスクリーン印刷工程を模式的に示したＢ−Ｂ断面図である。
【図９】本発明に係る印刷物の参考斜視図である。
【図１０】本発明に係る印刷物の参考斜視図である。
【図１１】特許文献１に記載の、従来のスクリーン印刷工程を模式的に示した断面図である。
【発明を実施するための形態】
【００２５】
＜印刷物の構成＞
本発明の第１の実施例に係る印刷物１０について、図１乃至図３を用いて説明する。尚、本実施例では説明の便宜上、図１乃至図３に記載の着色剤は実際の厚さよりも厚く図示している。
【００２６】
印刷物１は、合成樹脂で成形されたリモートコントローラの筐体であり、例えばＩ字形状の標章部１１が形成されている。
【００２７】
標章部１１は、凸状の被印刷面１２と、壁面１３と、着色剤２０とで構成されている。
【００２８】
着色剤２０は、例えばインク、塗料、コーティング剤であり、透明性を有していても良い。
【００２９】
被印刷面１２は平面であり、被印刷面１２の周縁には壁面１３がほぼ垂直に延設される。
【００３０】
壁面１３には、被印刷面１２の反対側から底面１４が延設される。
壁面１３の周囲には、隙間を設けて被印刷面１２と同一面上に補助面１６を備えられる。補助面１６は、リモートコントローラの筐体の外表面である共に、底面１４の方向に補助壁面１５が延設される。
【００３１】
被印刷面１２には着色剤２０が固着されると共に、壁面１３は被印刷面１２の全周にわたり周縁から連続して着色剤２０が固着されている。印刷物１０と着色剤２０との境界部１７は、壁面１３の被印刷面１２よりやや下方に配置される。
【００３２】
上述したように、本実施例により印刷物１０は、被印刷面１２の周囲の壁面上にわずかでも境界部１７が位置することで境界部１７は被印刷面１２の側面方向に露出していなく、被印刷面１２と略平行方向の擦れが着色剤２０に生じても、境界部１７に着色剤２０が剥がれる力は生じないため、着色剤２０を印刷物１０から剥がれ難くすることができる。また、壁面１３の周囲に備える補助面１６を、被印刷面１２と同一面以上の高さにすることにより、境界部１７が直接に擦れることが無く、着色剤２０が剥がれ難くすることに適している。さらに、補助面１６と、リモートコントローラの筐体の外表面とは同一面のため、筐体の外形から突出しないため、手に取る際の感触に影響を与えない。
【００３３】
本発明の第２の実施例に係る印刷物３０について、図４を用いて説明する。尚、本実施例では説明の便宜上、図４に記載の着色剤４０は実際の厚さよりも厚く図示している。主な構成は、第１の実施例と同様なため異なる構成について説明をする。
【００３４】
被印刷面３２は、被印刷面３２の周縁には壁面３３が延設される。壁面３３は、被印刷面３２の垂直方向に対し被印刷面３２の外側に傾いている。
【００３５】
被印刷面３２は着色剤４０が固着される共に、傾いた壁面３３は被印刷面３２の全周にわたり周縁から連続して着色剤４０が固着される。
【００３６】
上述したように、本実施例により壁面３３は、被印刷面３２の垂直方向に対し被印刷面３２の外側に傾く面を備えることで、着色剤４０は底面３４の方向に流れ難くなり、被印刷面３２の周縁部３８において着色剤４０の固着された厚さを維持することができ、被印刷面３２の周縁部３８が着色剤４０から露出することを防ぐ。これにより被印刷面側に略水平方向の擦れが着色剤４０に生じても、印刷物３０と着色剤４０との境界部３７は補助面３６から露出していなく、着色剤４０を被印刷面３２から剥がれ難くすることができる。
【００３７】
＜スクリーン印刷方法＞
本発明の第３の実施形態に係る被印刷物５０に対する着色剤６０のスクリーン印刷方法について、図５乃至図８を用いて説明する。尚、本実施例では説明の便宜上、図８に記載の着色剤は実際の厚さよりも厚く図示している。
【００３８】
被印刷物５０は、合成樹脂で成形されており、着色剤６０が固着される被印刷面５２を備える。被印刷面５２は平面であり、被印刷面５２の周縁には全周にわたり壁面５３が延設される。壁面５３には、被印刷面５２の反対側から底面５４が延設される。壁面１３の周囲には、隙間を設けて被印刷面５２と同一面上に補助面５６が備えられる。補助面５６は、底面５４の方向に補助壁面５５が延設される。
【００３９】
スクリーン印刷版７０は、図示していないが金属製の枠と、枠の内側に配置された合成繊維や金属繊維で織ったスクリーンメッシュとを備える。スクリーンメッシュは、非貫通の板部７１と、メッシュ状の開口部７２と、を備える。開口部７２は、被印刷面５２を含み、且つ、全周にわたり被印刷面５２のよりも広い開口を有する。尚、本実施例では説明の便宜上、開口部のメッシュを割愛して図示している。  
【００４０】
まず、図７乃至図８に示すように、スクリーン印刷版７０の板部７１を、被印刷物５０の補助面５６に当接させ配置する。この際、開口部７２の内側に被印刷面５２が配置されるようにする。尚、実際の開口部７２と被印刷面５２との周縁の差は０．０４ｍｍ程度であってもよい。
【００４１】
次に、図８（ａ）に示すように、スクイージー８０と開口部７２との間の、板部７１の上に着色剤６０を乗せる。
【００４２】
次に、図８（ｂ）に示すように、開口部７２の幅より広いスクイージー８０でスクリーン印刷版７０を押圧しながら、矢印Ｄの方向に動かし、開口部７２を通過させる。
【００４３】
次に、スクリーン印刷版７０を被印刷物５０から取り除くことで、着色剤６０を被印刷物５０に付着させた後に、着色剤は固化して固着することでスクリーン印刷が完了となる。
【００４４】
上述したように、本実施例によりスクリーン印刷版７０を補助面５６に当接させることで、スクリーン印刷版７０が撓むことなく被印刷面５２に配置することができ、スクリーン印刷を施すことが容易になる。また着色剤６０を、被印刷面５２よりも広い開口部７２を通過させてスクリーン印刷をすることで、被印刷面５２の周縁において被印刷面５２から壁面５３に連続して着色剤６０が付着され、被印刷物５０と着色剤６０との境界部５７は壁面５３の被印刷面５２よりやや下方に配置される。その後、着色剤は固化して固着する。そして壁面５３の周囲に補助面５６を備えることで被印刷面５２の側面方向から擦れが着色剤６０に生じても、着色剤６０が剥がれる力は生じないため、着色剤６０が剥がれ難いスクリーン印刷方法を行うことができる。
【００４５】
本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００４６】
例えば、上記実施例において、図９に示すように着色剤９０が固着した被印刷面の周囲の一部が補助面９１で囲われていなくてもよい。
【００４７】
また、上記実施例において、図１０に示すように着色剤９２が固着した被印刷面と補助面９３が部分的に連続してもよい。
【産業上の利用可能性】
【００４８】
本発明は、例えば、リモートコントローラに用いられる標章を表示するのに好適に利用することができる。
【符号の説明】
【００４９】
１０、３０  印刷物
１１  標章部
１２、３２、５２  被印刷面
１３、３３、５３  壁面
１４、３４、５４  底面
１５、５５  補助壁面
１６、３６、５６、９１、９３  補助面
１７、３７、５７  境界部
２０、４０、６０、９０、９２  着色剤
３８  周縁部
５０  被印刷物
７０  スクリーン印刷版
７１  板部
７２  開口部
８０  スクイージー
１０１  印刷物
１０１ａ  文字形状の凸部
１０３  ホットスタンプ箔層
１０８  スクリーン印刷版
１０８ａ  開口部
１０９  着色剤
１１０  スクイージー
【図１】
2018118449.tif 000003
【図２】
2018118449.tif 000004
【図３】
2018118449.tif 000005
【図４】
2018118449.tif 000006
【図５】
2018118449.tif 000007
【図６】
2018118449.tif 000008
【図７】
2018118449.tif 000009
【図８】
2018118449.tif 000010
【図９】
2018118449.tif 000011
【図１０】
2018118449.tif 000012
【図１１】
2018118449.tif 000013